【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
トップシート、バックシート、それらの間に配設された吸収性コア、並びに前記トップシート及び前記バックシートの１つ以上に接合された一対の前部耳部を有し、前記一対の前部耳部が、バイオ系ポリマーを含むスパンボンド布地層を有する、バイオ系吸収性物品であって、
前記吸収性物品は、前記吸収性物品の総重量に基づいて少なくとも７５重量パーセントのバイオ系材料含有量を有する、バイオ系吸収性物品。
【請求項２】
前記トップシート及び前記バックシートのうちの１つ以上が、スパンボンド複合繊維を含む不織布ウェブを含み、前記繊維がシース−コア構成を有する、請求項１に記載のバイオ系吸収性物品。
【請求項３】
前記繊維が、ポリ乳酸（ＰＬＡ）のコアと、バイオ系由来のポリエチレンポリマーを含むシースと、を有する、請求項２に記載のバイオ系吸収性物品。
【請求項４】
前記繊維が、ポリ乳酸（ＰＬＡ）のコアと、ポリプロピレンポリマーを含むシースと、を有する、請求項３に記載のバイオ系吸収性物品。
【請求項５】
前記繊維が、リグニン系ポリマーのコアと、バイオ系由来のポリエチレンを含むシースと、を有する、請求項３に記載のバイオ系吸収性物品。
【請求項６】
前記繊維が、（ＰＬＡ）のコアと、ＰＬＡを含むシースと、を含み、前記コアが、前記シースを構成する前記ＰＬＡポリマーの溶融温度よりも高い溶融温度を有する、請求項３に記載のバイオ系吸収性物品。
【請求項７】
前記トップシート及び前記バックシートが、バイオ系接着剤を用いて、互いに接着剤で接合される、請求項１に記載のバイオ系吸収性物品。
【請求項８】
前記吸収性コアが、バイオ系３−ヒドロキシプロピオン酸（３−ＨＰ）の氷アクリル酸への変換から誘導されるアクリルポリマーを含む、請求項１に記載のバイオ系吸収性物品。
【請求項９】
前記バックシートが、サトウキビ由来のポリエチレンポリマーのフィルム層を含む積層体を含み、前記フィルム層が、スパンボンド複合繊維を含む不織布ウェブに接着剤で積層され、前記繊維がシース−コア構成を有する、請求項１に記載のバイオ系吸収性物品。
【請求項１０】
前記不織布ウェブの前記繊維が、１）ポリ乳酸（ＰＬＡ）を含むコア及びバイオ系由来のポリエチレンポリマーを含むシース、２）ポリ乳酸（ＰＬＡ）のコアとポリプロピレンポリマーを含むシースとを含む繊維、３）リグニン系ポリマーのコアとバイオ系由来のポリエチレンを含むシースとを有する繊維、または４）（ＰＬＡ）のコアとＰＬＡを含むシースとを含む繊維であって、前記コアが、前記シースを構成する前記ＰＬＡポリマーの溶融温度よりも高い溶融温度を有する、繊維を含む、請求項９に記載のバイオ系吸収性物品。
【請求項１１】
前記物品がおむつの形態である、請求項１に記載のバイオ系吸収性物品。
【請求項１２】
前記物品が女性用生理用パッドの形態である、請求項１に記載のバイオ系吸収性物品。
【請求項１３】
前記吸収性物品が、前記吸収性物品の総重量に基づいて少なくとも９０重量パーセントのバイオ系材料含有量を有する、請求項１に記載のバイオ系吸収性物品。
【請求項１４】
吸収性コアを有するコア領域と、前記コア領域を取り囲むシャーシ領域とを含むバイオ系吸収性物品であって、前記シャーシ領域は、前部領域、後部領域、及びウエスト領域を含み、一方、前記コア領域は、前記物品の少なくとも股部に位置し、液体不透過性のバックシートが、前記吸収性コアの衣類に面する側の少なくとも前記コア領域に配置され、液体透過性のトップシートが、前記吸収性コアの着用者に面する側の少なくとも前記コア領域に配置され、前記吸収性物品が、前記吸収性物品の総重量に基づいて、少なくとも７５重量パーセントのバイオ系材料含有量を有し、
前記シャーシ領域の前記後部領域に接合された一対の後部耳部と、前記シャーシ領域の前記前部領域に接合された一対の前部耳部とを有し、
前記一対の前部耳部と後部耳部はスパンボンド複合繊維を含むスパンボンド布地層を有し、
前記繊維が、１）ポリ乳酸（ＰＬＡ）を含むコア及びサトウキビ由来のポリエチレンポリマーを含むシース、２）ポリ乳酸（ＰＬＡ）のコアとポリプロピレンポリマーを含むシースとを含む繊維、３）リグニン系ポリマーのコアとサトウキビ由来のポリエチレンを含むシースとを有する繊維、または４）（ＰＬＡ）のコアとＰＬＡを含むシースとを有する繊維を含み、前記コアが、前記シースを構成する前記ＰＬＡポリマーの溶融温度よりも高い溶融温度を有する、シース−コア構成を有する、バイオ系吸収性物品。
【請求項１５】
前記後部耳部は、少なくとも一つのスパンボンド層を有する積層体を有し、前記一対の後部耳部のスパンボンド層はバイオ系ポリエステル繊維又はＰＬＡ繊維のシースと、ポリプロピレンのコアを有する、請求項１４に記載のバイオ系吸収性物品。
【請求項１６】
前記前部領域と前記後部領域とを互いに接合するための締結システムをさらに含む、請求項１４に記載のバイオ系吸収性物品。
【請求項１７】
前記吸収性コアが、前記吸収性コアの総重量に基づいて少なくとも９０重量パーセントのバイオ系材料含有量を有する吸収性材料を含む、請求項１４に記載のバイオ系吸収性物品。
【請求項１８】
前記吸収性コアが、バイオ系３−ヒドロキシプロピオン酸（３−ＨＰ）の氷アクリル酸への変換から誘導されるアクリルポリマーを含む、請求項１４に記載のバイオ系７吸収性物品。
【請求項１９】
前記バックシートが、バイオ由来のポリエチレンポリマーのフィルム層を含む積層体を含み、前記フィルム層が、スパンボンド複合繊維を含む不織布ウェブに接着剤で積層され、前記繊維がシース−コア構成を有する、請求項１４に記載のバイオ系吸収性物品。
【請求項２０】
前記不織布ウェブの前記繊維が、１）ポリ乳酸（ＰＬＡ）を含むコア及びバイオ系由来のポリエチレンポリマーを含むシース、２）ポリ乳酸（ＰＬＡ）のコアとポリプロピレンポリマーを含むシースとを含む繊維、３）リグニン系ポリマーのコアとバイオ系由来のポリエチレンを含むシースとを有する繊維、または４）（ＰＬＡ）のコアとＰＬＡを含むシースとを含む繊維であって、前記コアが、前記シースを構成する前記ＰＬＡポリマーの溶融温度よりも高い溶融温度を有する、繊維を含む、請求項１９に記載のバイオ系吸収性物品。
【請求項２１】
前記トップシートが、スパンボンド複合繊維を含み、前記繊維が、１）ポリ乳酸（ＰＬＡ）を含むコア及びサトウキビ由来のポリエチレンポリマーを含むシース、２）ポリ乳酸（ＰＬＡ）のコアとポリプロピレンポリマーを含むシースとを含む繊維、３）リグニン系ポリマーのコアとサトウキビ由来のポリエチレンを含むシースとを有する繊維、または４）（ＰＬＡ）のコアとＰＬＡを含むシースとを含む繊維であって、前記コアが、前記シースを構成する前記ＰＬＡポリマーの溶融温度よりも高い溶融温度を有する、繊維を含む、シース−コア構成を有する、請求項１４に記載のバイオ系吸収性物品。
【請求項２２】
前記吸収性物品が、前記吸収性物品の総重量に基づいて少なくとも９０重量パーセントのバイオ系材料含有量を有する、請求項１４に記載のバイオ系吸収性物品。
【請求項２３】
前記物品の前記シャーシ領域に取り付けられたレッグカフをさらに含み、前記レッグカフは、スパンボンド−メルトブロウン−スパンボンド布地層を含み、前記スパンボンド及びメルトブロウンは、ＰＬＡを含む、請求項１４に記載のバイオ系吸収性物品。
【請求項２４】
前記一対の前部耳部のバイオ系ポリマーが、ポリ乳酸及び／又はバイオ系由来のポリエチレンを含有する、請求項１に記載のバイオ系吸収性物品。
【請求項２５】
前記一対の前部耳部がスパンボンド複合繊維を有し、前記繊維が、１）ポリ乳酸（ＰＬＡ）を含むコア及びサトウキビ由来のポリエチレンポリマーを含むシース、２）ポリ乳酸（ＰＬＡ）のコアとポリプロピレンポリマーを含むシースとを含む繊維、３）リグニン系ポリマーのコアとサトウキビ由来のポリエチレンを含むシースとを有する繊維、または４）（ＰＬＡ）のコアとＰＬＡを含むシースとを有する繊維を含み、前記コアが、前記シースを構成する前記ＰＬＡポリマーの溶融温度よりも高い溶融温度を有する、シース−コア構成を有する、請求項１に記載のバイオ系吸収性物品。
【請求項２６】
更に、トップシートとバックシートの１つ以上に接合された一対の後部耳部を有し、前記後部耳部は少なくとも１つのスパンボンド層を有する積層体を有し、前記後部耳部のスパンボンド層はバイオ系ポリマー又はＰＬＡポリマーのシース、及びポリプロピレンのコアを有する繊維を有する、請求項１に記載のバイオ系吸収性物品。
【請求項２７】
前記後部耳部を有する積層体が、更に少なくとも１つのスパンボンド布地層に積層された弾性フィルムを有する、請求項１に記載のバイオ系吸収性物品。
【請求項２８】
前記弾性フィルムが、少なくとも１つがスパンボンド層である２つの層の間に配設され、前記弾性フィルムがバイオ系ポリマーを有する、請求項２７に記載のバイオ系吸収性物品。
【請求項２９】
更に、前記前部耳部と前記後部耳部の間に伸びるレッグカフを有し、前記レッグカフはスパンボンド−メルトブロウン−スパンボンド構造の３層を有し、前記スパンボンドはＰＬＡコアとＰＬＡシースを有する繊維を有し、前記メルトブロウンは、ＰＬＡメルトブロウン繊維を有する、請求項２６に記載のバイオ系吸収性物品。
【請求項３０】
更に、前記前部耳部と前記後部耳部の間に伸びるレッグカフを有し、前記レッグカフはスパンボンド−メルトブロウン−スパンボンド構造の３層を有し、前記スパンボンドはポリプロピレンコアとＰＬＡシースと、又はポリプロピレンシースとＰＬＡコアとを有する繊維を有し、前記メルトブロウンはＰＬＡメルトブロウン繊維を有する、請求項２６に記載のバイオ系吸収性物品。